(57)【要約】【課題】強風などの外力による盤扉の損傷を防ぐことのできるスイッチギヤを提供することを目的とする。【解決手段】前面に開口部（２）を有するスイッチギヤの筐体（１）と、扉上辺部を回動支点として開口部（２）の少なくとも一部を開閉可能な縦開きの上扉（３）と、上扉（３）を水平に開いた状態で上扉（３）を筐体（１）の内部にスライドさせて収納する上扉収納手段（１０，１３）と、上扉（３）を水平に開いた状態で保持可能な上扉保持手段（１５）とを備える。【選択図】図１
2019004563.tif 000002
【特許請求の範囲】
【請求項１】
前面に開口部を有するスイッチギヤの筐体と、
扉上辺部を回動支点として前記開口部の少なくとも一部を開閉可能な縦開きの上扉と、
前記上扉を水平に開いた状態で、前記上扉を前記筐体の内部にスライドさせて収納する上扉収納手段と、
前記上扉を水平に開いた状態で保持可能な上扉保持手段と、
を備えることを特徴とするスイッチギヤ。
【請求項２】
前記上扉収納手段は、
前記筐体の側壁内面に水平に設けられた上扉ガイドレールと、
前記上扉の扉上辺部に設けられ、前記上扉と前記上扉ガイドレールとを回動自在に連結し、かつ、前記上扉を水平に開いた状態で前記上扉ガイドレールに沿って前記筐体の内部へスライド可能な上扉連結軸と、を備え、
前記上扉保持手段は、前記筐体の側壁と前記上扉とを連結し、前記上扉を水平に開いた状態で保持可能な上扉保持部を備えること、
を特徴とする請求項１記載のスイッチギヤ。
【請求項３】
前記上扉の下方に設けられ、扉下辺部を回動支点として前記開口部の他部を開閉可能な縦開きの下扉と、
前記下扉を水平に開いた状態で、前記下扉を前記筐体の内部にスライドさせて収納する下扉収納手段と、
前記下扉の裏面に設けられ、前記筐体に格納される盤内機器の出し入れを補助する補助レールと、
を備えることを特徴とする請求項１又は２記載のスイッチギヤ。
【請求項４】
前記下扉収納手段は、
前記筐体の側壁内面に水平に設けられた下扉ガイドレールと、
前記下扉の扉下辺部に設けられ、前記下扉と前記下扉ガイドレールとを回動自在に連結し、かつ、前記下扉を水平に開いた状態で前記下扉ガイドレールに沿って前記筐体の内部へスライド可能な下扉連結軸と、
を備えることを特徴とする請求項３記載のスイッチギヤ。
【発明の詳細な説明】
【技術分野】
【０００１】
本発明は、スイッチギヤに係り、特に屋外に設置されるスイッチギヤに関する。
【背景技術】
【０００２】
従来、屋外に設置されるスイッチギヤでは、雨水による機器の故障を避けるため、点検日に雨が降った場合には雨養生を作って作業をする必要があった。
【０００３】
この問題に対して、特開平７−２７２１０号公報には、筐体前面開口部を開閉する前面の盤扉を上下２分割し、上側の盤扉を庇として利用することが開示されている。具体的には、上部扉を上下方向に開閉自在に取り付け、扉保持用ステーで上部扉を開状態で保持する構成が開示されている。このような構成によれば、上部扉を筐体の上方に向けて開放することにより、上部扉を庇として利用できる。
【０００４】
尚、出願人は、本発明に関連するものとして、上記の文献を含めて、以下に記載する文献を認識している。
【先行技術文献】
【特許文献】
【０００５】
【特許文献１】特開平７−２７２１０号公報
【特許文献２】特開平４−２８７１０号公報
【発明の概要】
【発明が解決しようとする課題】
【０００６】
しかしながら、屋外に設置されるスイッチギヤには、強風などの予期せぬ外力が加わる場合がある。上述した従来の盤扉では、強風などの外力により、扉のストッパーが折れるなど盤扉が損傷する可能性がある。
【０００７】
本発明は、上述のような課題を解決するためになされたもので、強風などの外力による盤扉の損傷を防ぐことのできるスイッチギヤを提供することを目的とする。
【課題を解決するための手段】
【０００８】
上記の目的を達成するため、本発明の実施形態に係るスイッチギヤは、前面に開口部を有するスイッチギヤの筐体と、扉上辺部を回動支点として開口部の少なくとも一部を開閉可能な縦開きの上扉と、上扉を水平に開いた状態で上扉を筐体の内部にスライドさせて収納する上扉収納手段と、上扉を水平に開いた状態で保持可能な上扉保持手段と、を備える。
【０００９】
このように、上扉を筐体の内部に収容することで、強風などの外力による上扉の損傷を防ぐことができる。また、上扉を水平に開いた状態で保持することで、簡易の雨よけとしても使用でき雨天時の盤面作業が可能となる。
【００１０】
好ましくは、上扉収納手段は、上扉ガイドレールと上扉連結軸とを備える。上扉ガイドレールは、筐体の側壁内面に水平に設けられる。上扉連結軸は、上扉の扉上辺部に設けられ、上扉と上扉ガイドレールとを回動自在に連結し、かつ、上扉を水平に開いた状態で上扉ガイドレールに沿って筐体の内部へスライド可能である。また、上扉保持手段は、筐体の側壁と上扉とを連結し、上扉を水平に開いた状態で保持可能な上扉保持部を備える。
【００１１】
好ましくは、上扉の下方に設けられ、扉下辺部を回動支点として開口部の他部を開閉可能な縦開きの下扉と、下扉を水平に開いた状態で下扉を筐体の内部にスライドさせて収納する下扉収納手段と、下扉の裏面に設けられ筐体に格納される盤内機器の出し入れを補助する補助レールと、を備える。
【００１２】
このように、下扉を筐体の内部に収容することで、強風などの外力による下扉の損傷を防ぐことができる。また、下扉の裏面に設けられた補助レールは、下扉を水平に開いた盤内収納前の状態において、盤内機器（遮断機もしくは盤内用トランス）の出し入れを容易にする。そのため、盤内機器出し入れ用の別体のレールが不要となる。
【００１３】
好ましくは、下扉収納手段は、下扉ガイドレールと下扉連結軸を備える。下扉ガイドレールは、筐体の側壁内面に水平に設けられる。下扉連結軸は、下扉の扉下辺部に設けられ、下扉と下扉ガイドレールとを回動自在に連結し、かつ、下扉を水平に開いた状態で下扉ガイドレールに沿って筐体の内部へスライド可能である。
【発明の効果】
【００１４】
本発明の実施形態に係るスイッチギヤによれば、強風などの外力による盤扉の損傷を防ぐことができる。
【図面の簡単な説明】
【００１５】
【図１】本発明の実施の形態１に係るスイッチギヤの斜視図である。
【図２】Ａ−Ａ線断面の筐体上部における上扉の閉状態を表す図である。
【図３】Ａ−Ａ線断面の筐体上部における上扉の開状態を表す図である。
【図４】Ａ−Ａ線断面の筐体上部における上扉の収納状態を表す図である。
【図５】上扉の開状態において、上扉と筐体とが連結する部分の正面図である。
【図６】Ａ−Ａ線断面の筐体下部における下扉の閉状態を表す図である。
【図７】Ａ−Ａ線断面の筐体下部における下扉の開状態を表す図である。
【図８】Ａ−Ａ線断面の筐体下部における下扉の収納状態を表す図である。
【図９】下扉の開状態において、下扉と筐体とが連結する部分の正面図である。
【発明を実施するための形態】
【００１６】
以下、図面を参照して本発明の実施の形態について詳細に説明する。尚、各図において共通する要素には、同一の符号を付して重複する説明を省略する。
【００１７】
実施の形態１．
図１は、本発明の実施の形態１に係るスイッチギヤの斜視図である。スイッチギヤの筐体１は、前面に開口部２を有する。開口部２は、上下２分割された盤扉（上扉３および下扉４）により開閉される。上扉３は、扉上辺部を回動支点として開口部２の少なくとも一部を開閉可能な縦開きの扉である。図１に示すように、上扉３は、水平に開いた状態で筐体１の内部にスライドさせて収納することができる。下扉４は、上扉３の下方に設けられ、扉下辺部を回動支点として開口部２の他部を開閉可能な縦開きの扉である。図１に示すように、下扉４は、水平に開いた状態で筐体１の内部にスライドさせて収納することができる。
【００１８】
（上扉３周辺の構成）
本発明の実施の形態１に係るスイッチギヤの上扉３周辺の構成について図２〜図５を参照しつつ説明する。
【００１９】
図２〜図４は、図１のＡ−Ａ線断面のうち筐体上部（上扉３周辺）を示す図である。図２は上扉３の閉状態を表している。図３は上扉３の開状態を表している。図４は上扉３の収納状態を表している。また、図５は、上扉３の開状態において、上扉３と筐体１とが連結する部分の正面図である。
【００２０】
図２に示すように、上扉ガイドレール１０は、筐体１の側壁内面に水平に設けられている。上扉ガイドレール１０は、その上面に前側溝部１１と奥側溝部１２を備える。両溝部の断面形状は半円形状である。
【００２１】
上扉連結軸１３は、上扉３の側面の扉上辺部に設けられ、前側溝部１１に嵌められている（図５）。これにより、上扉連結軸１３は、前側溝部１１に支持され、上扉３と上扉ガイドレール１０とを回動自在に連結する。上扉連結軸１３が前側溝部１１に嵌められ、上扉３が吊り下げられた状態で、上扉３は閉状態となる。
【００２２】
また、図３に示すように、ハンドル１４により上扉３が盤前方に引き上げられた状態で、上扉３は開状態となる。スイッチギヤは、筐体１の側壁と上扉３とを連結し、上扉３を水平に開いた状態で保持可能な上扉保持部１５を備える。図３に示す一例では、上扉保持部１５は、上扉３の側面に設けられた孔１５ａと、筐体１の開口部２付近の側壁内面に設けられた凹部１５ｂと、上扉３を水平に開いた状態で両端を孔１５ａと凹部１５ｂとに挿入可能な支持棒１５ｃとを備える。これらにより、上扉３は水平に開いた状態で固定される。
【００２３】
また、図４に示すように、支持棒１５ｃを外した状態で、上扉連結軸１３は、上扉３を水平に開いた状態で上扉ガイドレール１０に沿って筐体１の内部へスライド可能である。これにより、上扉３は筐体１の内部に収納される。この収納状態において、上扉連結軸１３は奥側溝部１２に嵌る。また、上扉３の側面の扉下辺部には上扉固定軸１６が設けられ、収納状態において、上扉固定軸１６は前側溝部１１に嵌る。
【００２４】
以上説明したように、図２〜図５に示す筐体上部の構成によれば、上扉３を筐体１の内部に収容することで、強風などの外力による上扉３の損傷を防ぐことができる。また、上扉３を水平に開いた状態で保持することで、簡易の雨よけとしても使用でき、雨天時の盤面作業が可能となる。
【００２５】
（下扉４周辺の構成）
次に、本発明の実施の形態１に係るスイッチギヤの下扉４周辺の構成について図６〜図９を参照しつつ説明する。
【００２６】
図６〜図９は、図１のＡ−Ａ線断面のうち筐体下部（下扉４周辺）を示す図である。図６は下扉４の閉状態を表している。図７は下扉４の開状態を表している。図８は下扉４の収納状態を表している。また、図９は、開状態の下扉４について、下扉４と筐体１とが連結する部分の正面図である。
【００２７】
図６に示すように、下扉ガイドレール２０は、筐体１の側壁内面に水平に設けられている。下扉ガイドレール２０は、その上面に溝部２１を備える。溝部２１の断面形状は半円形状である。
【００２８】
下扉連結軸２２は、下扉４の側面の扉上辺部に設けられ、溝部２１に嵌められている（図９）。これにより、下扉連結軸２２は、溝部２１に支持され、下扉４と下扉ガイドレール２０とを回動自在に連結する。下扉連結軸２２が溝部２１に嵌められ、下扉４が垂直に立ち上がった状態で、下扉４は閉状態となる。
【００２９】
また、図７に示すように、上部ハンドル２３ａにより下扉４が盤前方に倒された状態で、下扉４は開状態となる。下扉４の裏面には補助レール２４が設けられ、筐体１に格納される盤内機器（遮断機もしくは盤内用トランス）の出し入れを補助する。
【００３０】
また、図８に示すように、下扉連結軸２２は、下扉４を水平に開いた状態で下扉ガイドレール２０に沿って筐体１の内部へスライド可能である。これにより、下扉４は筐体１の内部に収納される。この収納状態において、下扉４は、上部ハンドル２３ａおよび下部ハンドル２３ｂが筐体底面２５の上に載った状態となる。なお、上部ハンドル２３ａおよび下部ハンドル２３ｂの接地部分には、収納の際のスライドを助けるためのローラが取り付けられていることが望ましい。
【００３１】
以上説明したように、図６〜図９に示す筐体下部の構成によれば、下扉４を筐体１の内部に収容することで、強風などの外力による下扉４の損傷を防ぐことができる。また、下扉４の裏面に設けられた補助レール２４によれば、下扉４を水平に開いた盤内収納前の状態において、盤内機器（遮断機もしくは盤内用トランス）の出し入れが容易になる。そのため、盤内機器出し入れ用の別体のレールが不要となる。
【００３２】
ところで、上述した実施の形態１のシステムにおいて、上扉保持部１５は、孔１５ａと凹部１５ｂと支持棒１５ｃとを備える構成としているが、この構成に限定されるものではない。例えば、上扉３を一部収納した状態で、上扉３の扉上辺部を筐体１の天井面に引っ掛けて保持するように構成してもよい。
【００３３】
以上、本発明の実施の形態について説明したが、本発明は、上記の実施の形態に限定されるものではなく、本発明の趣旨を逸脱しない範囲で種々変形して実施することができる。
【符号の説明】
【００３４】
１  筐体
２  開口部
３  上扉
４  下扉
１０  上扉ガイドレール
１１  前側溝部
１２  奥側溝部
１３  上扉連結軸
１４  ハンドル
１５  上扉保持部
１５ａ  孔
１５ｂ  凹部
１５ｃ  支持棒
１６  上扉固定軸
２０  下扉ガイドレール
２１  溝部
２２  下扉連結軸
２３ａ  上部ハンドル
２３ｂ  下部ハンドル
２４  補助レール
２５  筐体底面
【図１】
2019004563.tif 000003
【図２】
2019004563.tif 000004
【図３】
2019004563.tif 000005
【図４】
2019004563.tif 000006
【図５】
2019004563.tif 000007
【図６】
2019004563.tif 000008
【図７】
2019004563.tif 000009
【図８】
2019004563.tif 000010
【図９】
2019004563.tif 000011